(57)【要約】【課題】  従来は災害発生時や緊急事態発生時において、緊急情報のみを基地局から、又は携帯通信端末から通知する構成であるため、第三者が携帯通信端末を携帯しているユーザの位置や安否状況を確認できない。【解決手段】  緊急事態が発生した場合に、無線基地局監視装置３００は、緊急情報通知部３０２から緊急事態発生地域及びその付近に在圏する携帯通信端末１００に対して緊急情報を無線基地局２００を介して同報送信する。携帯通信端末１００は上記の緊急情報を受信すると、位置・安否通知ボタン１０３を使用して位置／安否情報メールを送信し、無線基地局２００を経て無線基地局監視装置３００により受信させ、位置情報登録部３０１に登録する。ユーザ関係者は端末装置４００を用いて、位置情報登録部３０１に登録された情報を位置情報管理部３０３から取得して、安否や位置を確認できる。【選択図】            図１
2006133828.tif 000002
【特許請求の範囲】
【請求項１】
メール送受信機能を備えた携帯通信端末と、
前記携帯通信端末と無線通信可能な無線基地局と、
緊急事態発生時に緊急事態発生地域及びその近辺の所定地域に在圏する前記携帯通信端末へ、前記無線基地局を介して緊急情報を通知すると共に、前記携帯通信端末からのメール文を受信して少なくとも前記携帯通信端末の位置情報を登録する無線基地局監視装置と、
前記無線基地局監視装置にアクセスして、前記携帯通信端末の位置情報を受信する端末装置と
を有することを特徴とする緊急時の通知システム。
【請求項２】
メール送受信機能を備えた携帯通信端末と、
前記携帯通信端末と無線通信可能で、前記携帯通信端末からのメール文を受信して少なくとも前記携帯通信端末の位置情報を登録する無線基地局と、
緊急事態発生時に緊急事態発生地域及びその近辺の所定地域に在圏する前記携帯通信端末へ、前記無線基地局を介して緊急情報を通知すると共に、前記無線基地局に登録されている前記携帯通信端末の位置情報を取得して送信する機能を備えた無線基地局監視装置と、
前記無線基地局監視装置にアクセスすることにより、前記無線基地局監視装置が前記無線基地局から取得して送信した前記無線基地局に登録されている前記携帯通信端末の位置情報を受信する端末装置と
を有することを特徴とする緊急時の通知システム。
【請求項３】
緊急事態発生時に緊急事態発生地域及びその近辺の所定地域に在圏する携帯通信端末へ、無線基地局監視装置が緊急情報を無線基地局を介して通知する緊急時の通知システムであって、
前記無線基地局監視装置に対して前記携帯通信端末の位置情報の問い合わせを行う端末装置を有し、
前記無線基地局監視装置は、
前記緊急情報を前記所定地域に在圏する前記携帯通信端末へ前記無線基地局を介して送信する緊急情報通知手段と、
前記携帯通信端末から前記無線基地局を介して送信されたメールを受信するメール受信手段と、
受信した前記メールの情報に基づき、少なくとも該メールの送信元の前記携帯通信端末の位置情報を取得して登録する情報登録手段と、
前記情報登録手段に登録された情報の管理を行う情報管理手段とを備え、
前記携帯通信端末は、
前記無線基地局監視装置から前記無線基地局を介して送信された前記緊急情報を受信する受信手段と、
前記受信手段により前記緊急情報を受信したときに、少なくとも該携帯通信端末の位置情報を知らせるためのメールを前記無線基地局を介して前記無線基地局監視装置へ送信する緊急時のメール送信手段とを備え、
前記端末装置からの前記無線基地局監視装置に対する前記携帯通信端末の位置情報の問い合わせにより、該無線基地局監視装置の前記情報管理手段は、前記情報登録手段に登録されている前記位置情報のメールを前記端末装置へ応答返信することを特徴とする緊急時の通知システム。
【請求項４】
前記緊急時のメール送信手段は、前記携帯通信端末の所有者の安否情報をメール文として含む前記メールを前記無線基地局を介して前記無線基地局監視装置へ予め設定したボタンの押下により送信する手段であり、前記無線基地局監視装置は、前記情報登録手段に前記位置情報と共に前記安否情報を前記携帯通信端末毎に対応させて登録し、前記情報登録手段に登録されている前記位置情報及び安否情報のメールを前記情報管理手段により前記端末装置へ応答返信することを特徴とする請求項３記載の緊急時の通知システム。
【請求項５】
緊急事態発生時に緊急事態発生地域及びその近辺の所定地域に在圏する携帯通信端末へ、無線基地局監視装置が緊急情報を無線基地局を介して通知する緊急時の通知システムであって、
前記無線基地局監視装置に対して前記携帯通信端末の位置情報の問い合わせを行う端末装置を有し、
前記無線基地局監視装置は、
前記緊急情報を前記所定地域に在圏する前記携帯通信端末へ前記無線基地局を介して送信する緊急情報通知手段と、
前記携帯通信端末から前記無線基地局を介して送信された、該携帯通信端末自身の位置情報をメール文として含むメールを受信するメール受信手段と、
受信した前記メールの情報に基づき、少なくとも該メールに含まれる前記携帯通信端末の位置情報を登録する情報登録手段と、
前記情報登録手段に登録された情報の管理を行う情報管理手段とを備え、
前記携帯通信端末は、
前記無線基地局監視装置から前記無線基地局を介して送信された前記緊急情報を受信する受信手段と、
自端末の位置情報を取得する位置情報取得手段と、
前記受信手段により前記緊急情報を受信したときに、前記位置情報取得手段により取得した前記位置情報をメール文として含む前記メールを前記無線基地局を介して前記無線基地局監視装置へ送信する緊急時のメール送信手段とを備え、
前記端末装置からの前記無線基地局監視装置に対する前記携帯通信端末の位置情報の問い合わせにより、該無線基地局監視装置の前記情報管理手段は、前記情報登録手段に登録されている前記位置情報のメールを前記端末装置へ応答返信することを特徴とする緊急時の通知システム。
【請求項６】
前記緊急時のメール送信手段は、前記携帯通信端末の所有者の安否情報を前記位置情報と共にメール文として含む前記メールを前記無線基地局を介して前記無線基地局監視装置へ予め設定したボタンの押下により送信する手段であり、前記無線基地局監視装置は、前記情報登録手段に前記位置情報と共に前記安否情報を前記携帯通信端末毎に対応させて登録し、前記情報登録手段に登録されている前記位置情報及び安否情報のメールを前記情報管理手段により前記端末装置へ応答返信することを特徴とする請求項５記載の緊急時の通知システム。
【請求項７】
前記無線基地局監視装置内の前記情報登録手段に替えて、前記携帯通信端末と無線通信する前記無線基地局内に、受信した前記メールの情報に基づき、少なくとも該メールの送信元の前記携帯通信端末の位置情報を登録する情報登録手段を設け、前記無線基地局監視装置内の前記情報管理手段は、前記端末装置からの前記無線基地局監視装置に対する前記携帯通信端末の位置情報の問い合わせにより、前記無線基地局内の前記情報登録手段に登録されている情報を前記無線基地局から取得して、その取得した情報をメール本文とするメールを作成して前記端末装置へ応答返信することを特徴とする請求項３乃至６のうちいずれか一項記載の緊急時の通知システム。
【請求項８】
緊急事態発生時に緊急事態発生地域及びその近辺の所定地域に在圏する携帯通信端末へ、無線基地局監視装置が緊急情報を無線基地局を介して通知する緊急時の通知方法であって、
前記無線基地局監視装置が、前記緊急情報を前記所定地域に在圏する前記携帯通信端末へ送信する第１のステップと、
前記携帯通信端末が、前記無線基地局監視装置から前記無線基地局を介して送信された前記緊急情報を受信する第２のステップと、
前記携帯通信端末が、前記緊急情報を受信したときに、少なくとも該携帯通信端末の位置情報を知らせるためのメールを前記無線基地局を介して前記無線基地局監視装置へ送信する第３のステップと、
前記無線基地局監視装置が、前記携帯通信端末から前記第３のステップにより送信されたメールを受信する第４のステップと、
前記無線基地局監視装置が、受信した前記メールの情報に基づき、少なくとも該メールの送信元の前記携帯通信端末の位置情報を取得して登録する第５のステップと、
端末装置からの前記無線基地局監視装置に対する前記携帯通信端末の位置情報の問い合わせにより、該無線基地局監視装置が、登録されている前記位置情報のメールを前記端末装置へ応答返信する第６のステップと
を含むことを特徴とする緊急時の通知方法。
【請求項９】
前記第３のステップは、前記携帯通信端末の所有者の安否情報をメール文として含む前記メールを前記無線基地局を介して前記無線基地局監視装置へ予め設定したボタンの押下により送信する処理を行うステップであり、前記第５のステップは、前記無線基地局監視装置が、前記位置情報と共に前記安否情報を前記携帯通信端末毎に対応させて登録するステップであり、前記第６のステップは、前記位置情報及び安否情報のメールを前記端末装置へ応答返信することを特徴とする請求項８記載の緊急時の通知方法。
【請求項１０】
緊急事態発生時に緊急事態発生地域及びその近辺の所定地域に在圏する携帯通信端末へ、無線基地局監視装置が緊急情報を無線基地局を介して通知する緊急時の通知方法であって、
前記無線基地局監視装置が、前記緊急情報を前記所定地域に在圏する前記携帯通信端末へ前記無線基地局を介して送信する第１のステップと、
前記携帯通信端末が、前記無線基地局監視装置から前記無線基地局を介して送信された前記緊急情報を受信する第２のステップと、
前記携帯通信端末が、前記緊急情報を受信したときに、少なくとも該携帯通信端末の位置情報を知らせるためのメールを前記無線基地局へ送信する第３のステップと、
前記無線基地局が、前記携帯通信端末から前記第３のステップにより送信されたメールを受信する第４のステップと、
前記無線基地局が、前記第４のステップで受信した前記メールの情報に基づき、少なくとも該メールの送信元の前記携帯通信端末の位置情報を取得して登録する第５のステップと、
端末装置からの前記無線基地局監視装置に対する前記携帯通信端末の位置情報の問い合わせにより、該無線基地局監視装置が、第５のステップにより前記無線基地局に登録されている前記位置情報のメールを該無線基地局から取得して前記端末装置へ応答返信する第６のステップと
を含むことを特徴とする緊急時の通知方法。
【請求項１１】
緊急事態発生時に緊急事態発生地域及びその近辺の所定地域に在圏する携帯通信端末へ、無線基地局監視装置が緊急情報を無線基地局を介して通知する緊急時の通知方法であって、
前記無線基地局監視装置が、前記緊急情報を前記所定地域に在圏する前記携帯通信端末へ前記無線基地局を介して送信する第１のステップと、
前記携帯通信端末が、前記無線基地局監視装置から前記無線基地局を介して送信された前記緊急情報を受信する第２のステップと、
前記第２のステップにより前記緊急情報を受信したときに、前記携帯通信端末自身が備える位置情報取得手段により取得した前記位置情報をメール文として含むメールを前記無線基地局へ送信する第３のステップと、
前記無線基地局が、前記携帯通信端末から送信されたメールを受信する第４のステップと、
前記無線基地局が、前記第４のステップで受信した前記メールの情報に基づき、少なくとも該メールの送信元の前記携帯通信端末の位置情報を登録する第５のステップと、
端末装置からの前記無線基地局監視装置に対する前記携帯通信端末の位置情報の問い合わせにより、該無線基地局監視装置が、前記第５のステップにより前記無線基地局に登録されている前記位置情報のメールを前記無線基地局から取得して前記端末装置へ応答返信する第６のステップと
を含むことを特徴とする緊急時の通知方法。
【請求項１２】
前記第３のステップは、前記携帯通信端末の所有者の安否情報をメール文として含む前記メールを前記無線基地局へ予め設定したボタンの押下により送信する処理を行うステップであり、前記第５のステップは、前記無線基地局が、前記位置情報と共に前記安否情報を前記携帯通信端末毎に対応させて登録するステップであり、前記第６のステップは、前記位置情報及び安否情報のメールを前記無線基地局監視装置が前記無線基地局から取得して前記端末装置へ応答返信することを特徴とする請求項１０又は１１記載の緊急時の通知方法。
【請求項１３】
緊急事態発生時に緊急事態発生地域及びその近辺の所定地域に在圏する携帯通信端末へ、緊急情報を無線基地局を介して通知するサーバ装置であって、
前記緊急情報を前記所定地域に在圏する前記携帯通信端末へ前記無線基地局を介して送信する緊急情報通知手段と、
前記携帯通信端末から前記無線基地局を介して送信されたメールを受信するメール受信手段と、
受信した前記メールの情報に基づき、少なくとも該メールの送信元の前記携帯通信端末の位置情報を取得して登録する情報登録手段と、
前記情報登録手段に登録された情報の管理を行い、端末装置から前記携帯通信端末の位置情報の問い合わせがあったときには、前記情報登録手段に登録されている少なくとも位置情報をメール文として含むメールを作成して前記端末装置へ応答送信する情報管理手段と
を有することを特徴とするサーバ装置。
【請求項１４】
緊急事態発生時に緊急事態発生地域及びその近辺の所定地域に在圏する携帯通信端末へ、緊急情報を無線基地局を介して通知するサーバ装置であって、
前記緊急情報を前記所定地域に在圏する前記携帯通信端末へ前記無線基地局を介して送信する緊急情報通知手段と、
前記携帯通信端末から前記無線基地局を介して送信された、少なくとも該携帯通信端末自身の位置情報をメール文として含むメールを受信するメール受信手段と、
受信した前記メールの情報に基づき、少なくとも該メールに含まれている前記携帯通信端末の位置情報を登録する情報登録手段と、
前記情報登録手段に登録された情報の管理を行い、端末装置から前記携帯通信端末の位置情報の問い合わせがあったときには、前記情報登録手段に登録されている少なくとも位置情報をメール文として含むメールを作成して前記端末装置へ応答送信する情報管理手段と
を有することを特徴とするサーバ装置。
【請求項１５】
前記メール受信手段は、前記携帯通信端末の所有者の安否情報をメール文として含む前記メールを前記無線基地局を介して受信する手段であることを特徴とする請求項１３又は１４記載のサーバ装置。
【請求項１６】
緊急事態発生時に、無線基地局監視装置が無線基地局を介して送信した緊急情報を受信する、緊急事態発生地域及びその近辺の所定地域に在圏する携帯通信端末であって、
前記無線基地局監視装置から前記無線基地局を介して送信された前記緊急情報を受信する受信手段と、
前記受信手段により前記緊急情報を受信したときに、少なくとも自端末の位置情報を知らせるためのメールを前記無線基地局を介して前記無線基地局監視装置へ予め設定したボタンの押下により送信する緊急時のメール送信手段と
を有することを特徴とする携帯通信端末。
【請求項１７】
緊急事態発生時に、無線基地局監視装置が無線基地局を介して送信した緊急情報を受信する、緊急事態発生地域及びその近辺の所定地域に在圏する携帯通信端末であって、
前記無線基地局監視装置から前記無線基地局を介して送信された前記緊急情報を受信する受信手段と、
自端末の位置情報を取得する位置情報取得手段と、
前記受信手段により前記緊急情報を受信したときに、前記位置情報取得手段により取得した前記位置情報をメール文として含む前記メールを前記無線基地局を介して前記無線基地局監視装置へ予め設定したボタンの押下により送信する緊急時のメール送信手段と
を有することを特徴とする携帯通信端末。
【請求項１８】
前記緊急時のメール送信手段は、前記携帯通信端末の所有者の安否情報をメール文として含む前記メールを前記無線基地局を介して前記無線基地局監視装置へ予め設定したボタンの押下により送信する手段であることを特徴とする請求項１６又は１７記載の携帯通信端末。
【発明の詳細な説明】
【技術分野】
【０００１】
本発明は緊急時の通知システム、通知方法、サーバ装置及び携帯通信端末に係り、特に緊急事態発生時に携帯通信端末からその位置情報を含む緊急情報を所定の相手先に通知可能な緊急時の通知システム、通知方法、サーバ装置及び携帯通信端末に関する。
【背景技術】
【０００２】
地震、火事、台風などの災害等の緊急事態が発生した場合に、当該緊急事態に遭遇したユーザが、自分が携帯している携帯電話機等の携帯通信端末を利用して、基地局からの現在居る場所は安全なのか、避難する必要があるのか等の情報を受信して速やかに対応させることが可能な緊急時の通知システムが、従来より知られている（例えば、特許文献１参照）。
【０００３】
また、災害や事故、急病などの緊急事態に遭遇したとき、緊急発信者が所持する携帯電話機等の携帯通信端末から緊急情報を発信し、この緊急情報を受信した位置情報センタが、受信した緊急情報に基づき、緊急発信者の所在位置を検出し、接続されている緊急通知先へ緊急発信者の所在位置を転送するようにした緊急時の通知システムも、従来より知られている（例えば、特許文献２参照）。
【０００４】
一方、生命に関わるような緊急を要する場合から、緊急性をそれほど有さない場合まで、緊急事態にもレベルがあり、また、通報があれば全て警察に連絡するのでは警察の負担が大きく、また、火事や怪我などでは警察でなく消防署などで対処する必要があり、また警察に出動を要請するまでもなく、提携する警備保障会社などで十分対処できる緊急事態もあることに鑑み、装身具と一体化され、ＧＰＳ（Global Positioning System:全地球測位システム）受信機、カメラ、マイク、通報スイッチ及び通信装置を備え、通報スイッチを作動させることにより、ＧＰＳ受信機が検知する現在地の位置情報と、カメラの撮影映像情報と、マイクの音声情報とを管理センタに緊急通報することが可能な構成の緊急通報用端末も従来より知られている（例えば、特許文献３参照）。管理センタではこの緊急通報用端末から送信されてきた画像情報等に基づき、緊急事態発生現場の様子を的確に判断でき、適切な対処をとることができる。
【０００５】
【特許文献１】特許第３５２９３５１号公報（第２−３頁、図１）
【特許文献２】特開２００１−３３９５３６号公報（第３頁、図２）
【特許文献３】実用新案登録第３０７５７８１号公報（第５−９頁、図１）
【発明の開示】
【発明が解決しようとする課題】
【０００６】
しかしながら、特許文献１及び２記載の各緊急時の通知システムは、災害発生時や緊急事態発生時において、緊急情報のみを基地局から、又は携帯通信端末から通知する構成であるため、第三者が携帯通信端末を携帯しているユーザの位置や安否状況を確認できないという問題がある。また、特許文献１及び２記載の各緊急時の通知システムは、災害発生地付近においては、無線基地局の被災や通信の輻輳のため、携帯通信端末が使用できないという問題もある。
【０００７】
また、特許文献３記載の緊急通報用端末は緊急通報専用端末であり、携帯電話のような電話通信機能やメール送受信機能を有しておらず、汎用性に乏しい。また、特許文献１及び２に記載された緊急時の通知システムと同様に、第三者が緊急通報用端末を携帯しているユーザの位置や安否状況を確認できず、また、災害発生地付近においては、使用できないという問題がある。
【０００８】
本発明は以上の点に鑑みなされたもので、第三者が携帯通信端末を携帯しているユーザの位置や安否状況を確認し得る緊急時の通知システム、通知方法、サーバ装置及び携帯通信端末を提供することを目的とする。
【０００９】
また、本発明の他の目的は、災害発生付近にいるユーザの位置や安否情報を確認し得る緊急時の通知システム、通知方法、サーバ装置及び携帯通信端末を提供することにある。
【課題を解決するための手段】
【００１０】
上記の目的を達成するため、第１の発明の緊急時の通知システムは、メール送受信機能を備えた携帯通信端末と、携帯通信端末と無線通信可能な無線基地局と、緊急事態発生時に緊急事態発生地域及びその近辺の所定地域に在圏する携帯通信端末へ、無線基地局を介して緊急情報を通知すると共に、携帯通信端末からのメール文を受信して少なくとも携帯通信端末の位置情報を登録する無線基地局監視装置と、無線基地局監視装置にアクセスして、携帯通信端末の位置情報を受信する端末装置とを有することを特徴とする。この発明では、緊急時に携帯通信端末の位置情報を端末装置に対して通知することができるため、携帯通信端末の所有者（ユーザ）の位置情報を災害発生等の緊急時に端末装置を使用して確認することができる。また、緊急事態発生前に登録しておいた位置情報を確認することもできる。
【００１１】
また、上記の目的を達成するため、第２の発明の緊急時の通知システムは、メール送受信機能を備えた携帯通信端末と、携帯通信端末と無線通信可能で、携帯通信端末からのメール文を受信して少なくとも携帯通信端末の位置情報を登録する無線基地局と、緊急事態発生時に緊急事態発生地域及びその近辺の所定地域に在圏する携帯通信端末へ、無線基地局を介して緊急情報を通知すると共に、無線基地局に登録されている携帯通信端末の位置情報を取得して送信する機能を備えた無線基地局監視装置と、無線基地局監視装置にアクセスすることにより、無線基地局監視装置が無線基地局から取得して送信した無線基地局に登録されている携帯通信端末の位置情報を受信する端末装置とを有することを特徴とする。この発明は、第１の発明が携帯通信端末の位置情報を無線基地局監視装置で登録するのに対し、無線基地局が上記位置情報を登録する点が相違するものであるが、第１の発明と同様に、緊急時に携帯通信端末の位置情報を端末装置に対して通知することができるため、携帯通信端末の所有者（ユーザ）の位置情報を災害発生等の緊急時に端末装置を使用して確認することができる。また、緊急事態発生前に登録しておいた位置情報を確認することもできる。
【００１２】
また、上記の目的を達成するため、第３の発明の緊急時の通知システムは、緊急事態発生時に緊急事態発生地域及びその近辺の所定地域に在圏する携帯通信端末へ、無線基地局監視装置が緊急情報を無線基地局を介して通知する緊急時の通知システムであって、無線基地局監視装置に対して携帯通信端末の位置情報の問い合わせを行う端末装置を有し、無線基地局監視装置は、緊急情報を所定地域に在圏する携帯通信端末へ無線基地局を介して送信する緊急情報通知手段と、携帯通信端末から無線基地局を介して送信されたメールを受信するメール受信手段と、受信したメールの情報に基づき、少なくともメールの送信元の携帯通信端末の位置情報を取得して登録する情報登録手段と、情報登録手段に登録された情報の管理を行う情報管理手段とを備え、
携帯通信端末は、無線基地局監視装置から無線基地局を介して送信された緊急情報を受信する受信手段と、受信手段により緊急情報を受信したときに、少なくとも携帯通信端末の位置情報を知らせるためのメールを無線基地局を介して無線基地局監視装置へ送信する緊急時のメール送信手段とを備え、端末装置からの無線基地局監視装置に対する携帯通信端末の位置情報の問い合わせにより、無線基地局監視装置の情報管理手段は、情報登録手段に登録されている位置情報のメールを端末装置へ応答返信することを特徴とする。
【００１３】
この発明では、緊急時に携帯通信端末の位置情報を端末装置に対して通知することができるため、携帯通信端末の所有者（ユーザ）の位置情報を災害発生等の緊急時に端末装置を使用して確認することができる。また、緊急事態発生前に登録しておいた位置情報を確認することもできる。
【００１４】
また、上記の目的を達成するため、第４の発明の緊急時の通知システムは、緊急時のメール送信手段は、携帯通信端末の所有者の安否情報をメール文として含むメールを無線基地局を介して無線基地局監視装置へ予め設定したボタンの押下により送信する手段であり、無線基地局監視装置は、情報登録手段に位置情報と共に安否情報を携帯通信端末毎に対応させて登録し、情報登録手段に登録されている位置情報及び安否情報のメールを情報管理手段により端末装置へ応答返信することを特徴とする。この発明では、緊急時に携帯通信端末の所有者（ユーザ）の安否情報を端末装置に対して通知することができるため、携帯通信端末の所有者（ユーザ）の安否情報を災害発生等の緊急時に端末装置を使用して確認することができる。
【００１５】
また、上記の目的を達成するため、第５の発明の緊急時の通知システムは、緊急事態発生時に緊急事態発生地域及びその近辺の所定地域に在圏する携帯通信端末へ、無線基地局監視装置が緊急情報を無線基地局を介して通知する緊急時の通知システムであって、無線基地局監視装置に対して携帯通信端末の位置情報の問い合わせを行う端末装置を有し、無線基地局監視装置は、緊急情報を所定地域に在圏する携帯通信端末へ無線基地局を介して送信する緊急情報通知手段と、携帯通信端末から無線基地局を介して送信された、携帯通信端末自身の位置情報をメール文として含むメールを受信するメール受信手段と、受信したメールの情報に基づき、少なくともメールに含まれる携帯通信端末の位置情報を登録する情報登録手段と、情報登録手段に登録された情報の管理を行う情報管理手段とを備え、
携帯通信端末は、無線基地局監視装置から無線基地局を介して送信された緊急情報を受信する受信手段と、自端末の位置情報を取得する位置情報取得手段と、受信手段により緊急情報を受信したときに、位置情報取得手段により取得した位置情報をメール文として含むメールを無線基地局を介して無線基地局監視装置へ送信する緊急時のメール送信手段とを備え、端末装置からの無線基地局監視装置に対する携帯通信端末の位置情報の問い合わせにより、無線基地局監視装置の情報管理手段は、情報登録手段に登録されている位置情報のメールを端末装置へ応答返信することを特徴とする。
【００１６】
この発明では、緊急時に携帯通信端末の位置情報を端末装置に対して通知することができるため、携帯通信端末の所有者（ユーザ）の位置情報を災害発生等の緊急時に端末装置を使用して確認することができる。また、緊急事態発生前に登録しておいた位置情報を確認することもできる。
【００１７】
また、上記の目的を達成するため、第６の発明の緊急時の通知システムは、緊急時のメール送信手段は、携帯通信端末の所有者の安否情報を位置情報と共にメール文として含むメールを無線基地局を介して無線基地局監視装置へ予め設定したボタンの押下により送信する手段であり、無線基地局監視装置は、情報登録手段に位置情報と共に安否情報を携帯通信端末毎に対応させて登録し、情報登録手段に登録されている位置情報及び安否情報のメールを情報管理手段により端末装置へ応答返信することを特徴とする。この発明では、緊急時に携帯通信端末の所有者（ユーザ）の安否情報を端末装置に対して通知することができるため、携帯通信端末の所有者（ユーザ）の安否情報を災害発生等の緊急時に端末装置を使用して確認することができる。
【００１８】
また、上記の目的を達成するため、第７の発明の緊急時の通知システムは、無線基地局監視装置内の情報登録手段に替えて、携帯通信端末と無線通信する無線基地局内に、受信したメールの情報に基づき、少なくともメールの送信元の携帯通信端末の位置情報を登録する情報登録手段を設け、無線基地局監視装置内の情報管理手段は、端末装置からの無線基地局監視装置に対する携帯通信端末の位置情報の問い合わせにより、無線基地局内の情報登録手段に登録されている情報を無線基地局から取得して、その取得した情報をメール本文とするメールを作成して端末装置へ応答返信することを特徴とする。
【００１９】
また、上記の目的を達成するため、第８の発明の緊急時の通知方法は、緊急事態発生時に緊急事態発生地域及びその近辺の所定地域に在圏する携帯通信端末へ、無線基地局監視装置が緊急情報を無線基地局を介して通知する緊急時の通知方法であって、無線基地局監視装置が、緊急情報を所定地域に在圏する携帯通信端末へ送信する第１のステップと、携帯通信端末が、無線基地局監視装置から無線基地局を介して送信された緊急情報を受信する第２のステップと、携帯通信端末が、緊急情報を受信したときに、少なくとも携帯通信端末の位置情報を知らせるためのメールを無線基地局を介して無線基地局監視装置へ送信する第３のステップと、無線基地局監視装置が、携帯通信端末から第３のステップにより送信されたメールを受信する第４のステップと、無線基地局監視装置が、受信したメールの情報に基づき、少なくともメールの送信元の携帯通信端末の位置情報を取得して登録する第５のステップと、端末装置からの無線基地局監視装置に対する携帯通信端末の位置情報の問い合わせにより、無線基地局監視装置が、登録されている位置情報のメールを端末装置へ応答返信する第６のステップとを含むことを特徴とする。
【００２０】
この発明では、緊急時に携帯通信端末の位置情報を端末装置に対して通知することができるため、携帯通信端末の所有者（ユーザ）の位置情報を災害発生等の緊急時に端末装置を使用して確認することができる。また、緊急事態発生前に登録しておいた位置情報を確認することもできる。
【００２１】
また、上記の目的を達成するため、第９の発明の緊急時の通知方法は、第３のステップが、携帯通信端末の所有者の安否情報をメール文として含むメールを無線基地局を介して無線基地局監視装置へ予め設定したボタンの押下により送信する処理を行うステップであり、第５のステップは、無線基地局監視装置が、位置情報と共に安否情報を携帯通信端末毎に対応させて登録するステップであり、第６のステップは、位置情報及び安否情報のメールを端末装置へ応答返信することを特徴とする。
【００２２】
また、上記の目的を達成するため、第１０の発明の緊急時の通知方法は、緊急事態発生時に緊急事態発生地域及びその近辺の所定地域に在圏する携帯通信端末へ、無線基地局監視装置が緊急情報を無線基地局を介して通知する緊急時の通知方法であって、無線基地局監視装置が、緊急情報を所定地域に在圏する携帯通信端末へ無線基地局を介して送信する第１のステップと、携帯通信端末が、無線基地局監視装置から無線基地局を介して送信された緊急情報を受信する第２のステップと、携帯通信端末が、緊急情報を受信したときに、少なくとも携帯通信端末の位置情報を知らせるためのメールを無線基地局へ送信する第３のステップと、無線基地局が、携帯通信端末から第３のステップにより送信されたメールを受信する第４のステップと、無線基地局が、第４のステップで受信したメールの情報に基づき、少なくともメールの送信元の携帯通信端末の位置情報を取得して登録する第５のステップと、端末装置からの無線基地局監視装置に対する携帯通信端末の位置情報の問い合わせにより、無線基地局監視装置が、第５のステップにより無線基地局に登録されている位置情報のメールを無線基地局から取得して端末装置へ応答返信する第６のステップとを含むことを特徴とする。
【００２３】
この発明では、緊急時に携帯通信端末の位置情報を端末装置に対して通知することができるため、携帯通信端末の所有者（ユーザ）の位置情報を災害発生等の緊急時に端末装置を使用して確認することができる。また、緊急事態発生前に登録しておいた位置情報を確認することもできる。
【００２４】
また、上記の目的を達成するため、第１１の発明の緊急時の通知方法は、緊急事態発生時に緊急事態発生地域及びその近辺の所定地域に在圏する携帯通信端末へ、無線基地局監視装置が緊急情報を無線基地局を介して通知する緊急時の通知方法であって、無線基地局監視装置が、緊急情報を所定地域に在圏する携帯通信端末へ無線基地局を介して送信する第１のステップと、携帯通信端末が、無線基地局監視装置から無線基地局を介して送信された緊急情報を受信する第２のステップと、第２のステップにより緊急情報を受信したときに、携帯通信端末自身が備える位置情報取得手段により取得した位置情報をメール文として含むメールを無線基地局へ送信する第３のステップと、無線基地局が、携帯通信端末から送信されたメールを受信する第４のステップと、無線基地局が、第４のステップで受信したメールの情報に基づき、少なくともメールの送信元の携帯通信端末の位置情報を登録する第５のステップと、端末装置からの無線基地局監視装置に対する携帯通信端末の位置情報の問い合わせにより、無線基地局監視装置が、第５のステップにより無線基地局に登録されている位置情報のメールを無線基地局から取得して端末装置へ応答返信する第６のステップとを含むことを特徴とする。
【００２５】
この発明では、緊急時に携帯通信端末の位置情報を端末装置に対して通知することができるため、携帯通信端末の所有者（ユーザ）の位置情報を災害発生等の緊急時に端末装置を使用して確認することができる。また、緊急事態発生前に登録しておいた位置情報を確認することもできる。
【００２６】
また、上記の目的を達成するため、第１２の発明の緊急時の通知方法は、第１０又は１１の発明における第３のステップを、携帯通信端末の所有者の安否情報をメール文として含むメールを無線基地局へ予め設定したボタンの押下により送信する処理を行うステップとし、第５のステップを、無線基地局が、位置情報と共に安否情報を携帯通信端末毎に対応させて登録するステップとし、第６のステップを、位置情報及び安否情報のメールを無線基地局監視装置が無線基地局から取得して端末装置へ応答返信することを特徴とする。
【００２７】
また、上記の目的を達成するため、第１３の発明のサーバ装置は、緊急事態発生時に緊急事態発生地域及びその近辺の所定地域に在圏する携帯通信端末へ、緊急情報を無線基地局を介して通知するサーバ装置であって、緊急情報を所定地域に在圏する携帯通信端末へ無線基地局を介して送信する緊急情報通知手段と、携帯通信端末から無線基地局を介して送信されたメールを受信するメール受信手段と、受信したメールの情報に基づき、少なくともメールの送信元の携帯通信端末の位置情報を取得して登録する情報登録手段と、情報登録手段に登録された情報の管理を行い、端末装置から携帯通信端末の位置情報の問い合わせがあったときには、情報登録手段に登録されている少なくとも位置情報をメール文として含むメールを作成して端末装置へ応答送信する情報管理手段とを有することを特徴とする。
【００２８】
この発明では、緊急時に携帯通信端末の位置情報を端末装置に対して通知することができるため、携帯通信端末の所有者（ユーザ）の位置情報を災害発生等の緊急時に端末装置を使用して確認することができる。また、緊急事態発生前に登録しておいた位置情報を確認することもできる。
【００２９】
また、上記の目的を達成するため、第１４の発明のサーバ装置は、緊急事態発生時に緊急事態発生地域及びその近辺の所定地域に在圏する携帯通信端末へ、緊急情報を無線基地局を介して通知するサーバ装置であって、緊急情報を所定地域に在圏する携帯通信端末へ無線基地局を介して送信する緊急情報通知手段と、携帯通信端末から無線基地局を介して送信された、少なくとも携帯通信端末自身の位置情報をメール文として含むメールを受信するメール受信手段と、受信したメールの情報に基づき、少なくともメールに含まれている携帯通信端末の位置情報を登録する情報登録手段と、情報登録手段に登録された情報の管理を行い、端末装置から携帯通信端末の位置情報の問い合わせがあったときには、情報登録手段に登録されている少なくとも位置情報をメール文として含むメールを作成して端末装置へ応答送信する情報管理手段とを有することを特徴とする。
【００３０】
この発明では、緊急時に携帯通信端末の位置情報を端末装置に対して通知することができるため、携帯通信端末の所有者（ユーザ）の位置情報を災害発生等の緊急時に端末装置を使用して確認することができる。また、緊急事態発生前に登録しておいた位置情報を確認することもできる。
【００３１】
また、上記の目的を達成するため、第１５の発明のサーバ装置は、メール受信手段は、携帯通信端末の所有者の安否情報をメール文として含むメールを無線基地局を介して受信する手段であることを特徴とする。この発明では、緊急時に携帯通信端末の所有者（ユーザ）の安否情報を端末装置に対して通知することができるため、携帯通信端末の所有者（ユーザ）の安否情報を災害発生等の緊急時に端末装置を使用して確認することができる。
【００３２】
また、上記の目的を達成するため、第１６の発明の携帯通信端末は、緊急事態発生時に、無線基地局監視装置が無線基地局を介して送信した緊急情報を受信する、緊急事態発生地域及びその近辺の所定地域に在圏する携帯通信端末であって、無線基地局監視装置から無線基地局を介して送信された緊急情報を受信する受信手段と、受信手段により緊急情報を受信したときに、少なくとも自端末の位置情報を知らせるためのメールを無線基地局を介して無線基地局監視装置へ予め設定したボタンの押下により送信する緊急時のメール送信手段とを有することを特徴とする。この発明では、緊急時には、メールを無線基地局を介して無線基地局監視装置へ予め設定したボタンの押下により送信することにより、自端末の位置情報を無線基地局監視装置により算出させて登録させることができる。
【００３３】
また、上記の目的を達成するため、第１７の発明の携帯通信端末は、緊急事態発生時に、無線基地局監視装置が無線基地局を介して送信した緊急情報を受信する、緊急事態発生地域及びその近辺の所定地域に在圏する携帯通信端末であって、無線基地局監視装置から無線基地局を介して送信された緊急情報を受信する受信手段と、自端末の位置情報を取得する位置情報取得手段と、受信手段により緊急情報を受信したときに、位置情報取得手段により取得した位置情報をメール文として含むメールを無線基地局を介して無線基地局監視装置へ予め設定したボタンの押下により送信する緊急時のメール送信手段とを有することを特徴とする。この発明では、緊急時には、自端末の位置情報をメール文として含むメールを無線基地局を介して無線基地局監視装置へ予め設定したボタンの押下により送信することができる。
【００３４】
また、上記の目的を達成するため、第１８の発明の携帯通信端末は、緊急時のメール送信手段は、携帯通信端末の所有者の安否情報をメール文として含むメールを無線基地局を介して無線基地局監視装置へ予め設定したボタンの押下により送信する手段であることを特徴とする。この発明では、携帯通信端末の所有者（ユーザ）の安否情報を災害発生等の緊急時に端末装置を使用して確認することができる。
【発明の効果】
【００３５】
本発明によれば、緊急時に携帯通信端末の位置情報を端末装置に対して通知することにより、携帯通信端末の所有者（ユーザ）の位置情報や安否情報を災害発生等の緊急時に端末装置を使用して確認することができるので、携帯通信端末の所有者（ユーザ）の位置及び安否を直ぐに把握することができる。
【００３６】
また、本発明によれば、通常災害が発生した場合は、ネットワークが使用できなくなるケースが発生するが、災害発生場所付近の無線基地局が使用できない状況においても、携帯通信端末の所有者（ユーザ）の位置情報を事前に通知・登録しておくことにより、直接に携帯通信端末へ通信せずとも携帯通信端末の所有者（ユーザ）の位置を確認することができる。
【発明を実施するための最良の形態】
【００３７】
次に、本発明の実施の形態について図面と共に説明する。図１は本発明になる緊急時の通知システムの一実施の形態のシステム構成図を示す。同図に示すように、本実施の形態の緊急時の通知システムは、携帯電話機、簡易型携帯電話機（ＰＨＳ:Personal Handyphone System）、通信機能を有する携帯型情報機器（ＰＤＡ：Personal Digital Assistants）、モバイルパーソナルコンピュータなどのいずれかで構成されている携帯通信端末１００と、移動無線システムにおける無線基地局２００と、サーバ装置である無線基地局監視装置３００とよりなり、無線基地局２００と無線基地局監視装置３００との間は一般公衆網５０１を介して接続されている。
【００３８】
携帯通信端末１００は、制御部１０１、操作部１０２、位置・安否通知ボタン１０３、表示部１０６、無線部１１１、アンテナ１１２を少なくとも含む構成とされている。また、無線基地局監視装置３００はユーザ関係者用端末装置４００から一般公衆網５０２を介してアクセス可能とされている。
【００３９】
無線基地局監視装置３００は、本発明のサーバ装置の一実施の形態であり、位置情報登録部３０１と、緊急情報通知部３０２と、位置情報管理部３０３とから構成されており、位置情報管理部３０３は位置情報登録部３０１に接続されると共にユーザ関係者用端末装置４００に一般公衆網５０２を介して接続される。また、位置情報登録部３０１と緊急情報登録部３０２は一般公衆網５０１を介して無線基地局２００に接続されている。
【００４０】
次に、携帯通信端末１００の構成について更に詳細に説明する。図２は本発明になる携帯通信端末の一実施の形態のブロック図を示す。同図中、図１と同一構成部分には同一符号を付してある。図２において、携帯通信端末１００は、端末全体を統括的に制御する制御部１０１と、電話番号入力、電子メール文作成その他各種の操作を行うための複数のキーから構成されている操作部１０２と、本実施の形態特有の位置・安否通知ボタン１０３と、本実施の形態の動作用プログラムや電話帳データなどが予め記憶されており、また必要に応じて各種のデータの書き込み／読み出しが行われる記憶部１０４と、表示駆動部１０５と、各種の表示を行う表示部１０６と、着信音や受話音声を発音するスピーカ１０７と、送話音声を収音して送話音声信号に変換するマイク１０８と、受話音声信号や送話音声信号の音声処理を行う音声処理部１０９と、送受信信号の各種の信号処理を行う信号処理部１１０と、無線通信を送受信用アンテナ１１２を介して無線基地局との間で行うための無線部１１１とより構成されている。なお、位置・安否通知ボタン１０３は、緊急通知が到着した際にだけ、有効に働くボタンである。
【００４１】
次に、この携帯通信端末１００で通常行われる通話動作について説明する。通話時は、操作部１０２から入力されたダイヤル番号（発信時）又は所定の着信応答操作信号が制御部１０１に入力され、これにより制御部１０１から信号処理部１１０、無線部１１１及びアンテナ１１２を介して最寄りの無線基地局（図示せず）へ送信信号が無線送信され、更に無線基地局から一般公衆網などを介して相手端末との間で所定のシーケンスに従って、通話路が確立される。
【００４２】
その後、相手端末からの通話信号は、一般公衆網及び最寄りの無線基地局を介してアンテナ１１２で受信され、更に無線部１１１で受信処理された後、信号処理部１１０で受話音声信号に変換され、更に音声処理部１０９を介してスピーカ１０７に供給され、ここで電気−音響変換されて受話音声として発音される。
【００４３】
一方、送話音声はマイク１０８により音響−電気変換されて受話音声信号となり、音声処理部１０９及び信号処理部１１０を経由して無線部１１１に供給され、ここで所定周波数帯の送信信号とされた後、アンテナ１１２を経由して最寄りの無線基地局へ無線送信され、更にその無線基地局から一般公衆網などを介して相手端末へ送信される。以上の音声通話の動作は公知である。また、この携帯通信端末１００は、電子メールの送受信機能も有するが、その動作説明は、音声処理部１０９を使用しない点を除き、上記の電話通話時と略同様であるので省略する。
【００４４】
次に、このような動作を行う携帯通信端末１００を使用した緊急時の通知動作について、図１及び図２と図３のシーケンス図を併せ参照して説明する。まず、地震、火事、洪水などの災害等の緊急事態が発生した場合に、無線基地局監視装置３００は、その緊急情報通知部３０２から緊急事態発生地域及びその付近に在圏する携帯通信端末１００を含む多数の携帯通信端末に対して緊急情報を、一般公衆網５０１及び無線基地局２００を介して同報送信する（図３のステップＳ１）。
【００４５】
無線基地局２００のサービスエリア内に在圏する携帯通信端末１００は上記の緊急情報を受信する（図３のステップＳ２）。携帯通信端末１００は上記の緊急情報を、アンテナ１１２及び無線部１１１で受信し、信号処理部１１０を経て制御部１０１に供給し、これより表示駆動部１０５を介して表示部１０６に緊急情報内容を表示する。また、必要に応じて音声処理部１０９を介してスピーカ１０７より緊急報知音を発音してもよい。
【００４６】
ここで、上記の緊急事態が発生したとしても、無線基地局２００は、携帯通信端末１００へ緊急情報を送信する段階では復旧して正常に動作しているか、又は無線基地局のエリアは重複して配置されているため、万が一携帯通信端末１００に最も近い無線基地局が通信不能状態であったとしても、サービスエリアを重複している別の正常動作可能な無線基地局２００から上記の緊急情報が送信される。
【００４７】
なお、災害等の緊急情報が発生する直前の携帯通信端末１００の位置情報を、無線基地局監視装置３００内の位置情報登録部３０１に定期的に登録更新しておくことができるので、無線基地局２００が緊急事態発生直後に使用できない状態となっても、ユーザ関係者用端末装置４００からは、少なくとも緊急事態発生時直前の携帯通信端末１００の位置情報は取得できる。
【００４８】
携帯通信端末１００の所有者は、表示部１０６に表示された緊急情報の内容を見て、自分が避難する等の必要性があるかを判断し、その判断結果内容及び安否情報を示すメールを操作部１０２を使用して作成し、位置・安否通知ボタン１０３を押下することで位置／安否情報メールを送信する（図３のステップＳ３）。ここで、上記の位置・安否通知ボタン１０３は、緊急情報を受信した場合にのみ動作可能とされたボタンであり、この位置・安否通知ボタン１０３の押下により、上記の位置／安否情報メールが、無線基地局２００及び一般公衆網５０１を経て無線基地局監視装置３００により受信され、その位置情報登録部３０１に登録される（図３のステップＳ４）。
【００４９】
ここで、携帯通信端末１００から送信された上記の位置／安否情報メールには、携帯通信端末１００の現在位置を示す位置情報は含まれていないが、無線基地局監視装置３００は上記の位置／安否情報メールを経由した無線基地局２００の位置及びそのサービスエリアを把握しており、無線基地局監視装置３００は、無線基地局２００のサービスエリア等から携帯通信端末１００の位置情報を算出して、その位置情報を上記の位置／安否情報メールの内容と携帯通信端末１００の識別子と共に位置情報登録部３０１に登録する。
【００５０】
なお、携帯通信端末１００が、自身で位置情報を取得して上記の位置／安否情報メールに付加して送信してもよい。携帯通信端末１００自身が位置情報を取得する手段としては、周知のＧＰＳ（Global Positioning System:全地球測位システム）を構成する複数の人工衛星（所謂ＧＰＳ衛星）から送信されているＧＰＳ信号を受信して公知の手段で自端末位置を算出するＧＰＳ受信部を用いる方法、あるいは複数の無線基地局との信号のやり取りに基づいて、各無線基地局からの受信電波強度から送信電力制御量を加味して求めた距離情報と各無線基地局の位置情報とから自端末の位置情報を取得する方法などがある。
【００５１】
その後、携帯通信端末１００の所有者（ユーザ）の関係者が、携帯通信端末１００の所有者（ユーザ）の安否やどこに居るかなどの状況問い合わせメールを、所定の端末装置４００を用いて一般公衆網５０２を介して無線基地局監視装置３００の位置情報管理部３０３に対して行う（図３のステップＳ５）。この状況問い合わせメールを受信した無線基地局監視装置３００は、位置情報管理部３０３が位置情報登録部３０１に登録されている、携帯通信端末１００の位置／安否情報を読み出して、それをメール文とする状況問い合わせメールの返信メールを、一般公衆網５０２を介してユーザ関係者用端末装置４００へ送信する（図３のステップＳ７）。
【００５２】
ユーザ関係者用端末装置４００は自端末装置で上記の返信メールを受信し、その表示部に返信メール内容を表示することにより（図３のステップＳ８）、携帯通信端末１００の所有者（ユーザ）がどこに居るかという位置情報や安否情報を取得することができる。
【００５３】
このように、本実施の形態によれば、災害時に緊急情報を通知するシステムを利用し、予め緊急情報通知を携帯通信端末１００が受信するようにしているため、携帯通信端末１００の所有者（ユーザ）は自分が危険な場所に居るかどうか判断でき、また、携帯通信端末１００の所有者（ユーザ）が安全な場所に居るのか等の情報をユーザ関係者用端末装置４００が速やかに確認することができる。
【００５４】
また、緊急時に携帯通信端末１００の位置情報や安否情報を無線基地局監視装置３００の位置情報登録部３０１に登録しておくことにより、携帯通信端末１００の所有者（ユーザ）の位置情報や安否情報を災害発生等の緊急時に端末装置を使用して確認することができるので、携帯通信端末１００の所有者（ユーザ）の位置及び安否を端末装置により直ぐに把握することができる。
【００５５】
また、緊急事態発生直前の携帯通信端末１００の位置情報を位置情報登録部３０１に登録しておくことで、災害発生場所付近の無線基地局２００が使用できない状況においても、また無線基地局２００が輻輳等で通信不能であっても、ユーザ関係者は端末装置４００を使用して携帯通信端末１００の緊急事態発生直前の位置情報を取得することができる。
【００５６】
なお、本発明は以上の実施の形態に限定されるものではなく、例えば、無線基地局監視装置３００は多数存在するが、各県別等に分けて管理されており、従って無線基地局監視装置３００は携帯通信端末１００が最後に位置登録した場所を認識しており、ユーザ関係者用端末装置４００が携帯通信端末１００のメールアドレス等にアクセスすることにより、位置情報等を登録してある無線基地局監視装置３００にアクセスするようにしてもよい。すなわち、ユーザ関係者用端末装置は通常に携帯通信端末にメールすれば、位置情報管理部３０３から位置情報や安否情報を入手することができる。
【００５７】
また、以上の実施の形態では、無線基地局監視装置３００の位置情報登録部３０１に、携帯通信端末３００の位置／安否情報を登録するように説明したが、無線基地局２００自体に上記の位置／安否情報を登録するようにしてもよい。以上の実施の形態における無線基地局監視装置３００の動作をコンピュータにより実行させるプログラムも本発明に含むものである。
【図面の簡単な説明】
【００５８】
【図１】本発明の緊急時の通知システムの一実施の形態のシステム構成図である。
【図２】本発明の携帯通信端末の一実施の形態のブロック図である。
【図３】本発明システムの一実施の形態の動作説明用シーケンス図である。
【符号の説明】
【００５９】
１００  携帯通信端末
１０１  制御部
１０２  操作部
１０３  位置・安否通知ボタン
１０４  記憶部
１０６  表示部
１１１  無線部
２００  無線基地局
３００  無線基地局監視装置
３０１  位置情報登録部
３０２  緊急情報通知部
３０３  位置情報管理部
４００  ユーザ関係者用端末装置
５０１、５０２  一般公衆網
【図１】
2006133828.tif 000003
【図２】
2006133828.tif 000004
【図３】
2006133828.tif 000005